(57)【要約】【課題】プリントの注文及び受付業務を簡易化することである。【解決手段】本実施の形態に係る顧客画像データ利用サービス提供用記録媒体生産システム１は、あらかじめ管理サーバ２００内に記憶された個人情報を識別するための個人ＩＤ３０１が記憶された会員証４００と、ＤＳＣ等の撮像装置によって撮影された画像データ３０２が記憶されたメモリカード５００と、会員証４００からの個人ＩＤ３０１とメモリカード５００からの画像データ３０２とを用いてプリント受付が行われる受付端末１００と、受付端末１００が取得した個人ＩＤ３０１と画像データ３０２とがサービス提供用記録媒体としてのＣＤ−Ｒ３００に記憶される管理サーバ２００とを備える。【選択図】          図１
2005011231.tif 000002
【特許請求の範囲】
【請求項１】
顧客の画像データを記憶した記録媒体から画像データを読出す顧客画像データ読出手段と、
該顧客画像データ読出手段から読出された画像データに基づきサービス提供用記録媒体を生産するサービス提供用記録媒体生産手段と、
を有する顧客画像データ利用サービス提供用記録媒体生産システムにおいて、
前記サービス提供用記録媒体生産手段は、前記顧客の個人情報を前記サービス提供用記録媒体に記録することを特徴とする顧客画像データ利用サービス提供用記録媒体生産システム。
【請求項２】
前記顧客の個人情報には、顧客の氏名、住所、サービスの会員番号又は電話番号が含まれること、
を特徴とする請求項１の顧客画像データ利用サービス提供用記録媒体生産システム。
【発明の詳細な説明】
【０００１】
【発明の属する技術分野】
本発明は、記録媒体に記憶された画像データに基づきサービス提供用記録媒体を生産するための顧客画像データ利用サービス提供用記録媒体生産システムに関する。
【０００２】
【従来の技術】
従来、顧客がＤＳＣ（デジタルスチルカメラ）等の撮像装置により撮影された画像データをプリントする場合、画像データが記憶された記録媒体（例えば、メモリカードなど。）を持って現像／プリント／引き伸ばしサービスを提供する写真店に来店し、記録媒体に記憶された画像データと、顧客の氏名、住所、電話番号などの個人情報を記入した注文伝票とを店員に渡さなくてはならい。また、再度同じ画像データを用いて追加プリントを行う場合にも、個人情報を再度注文伝票に記入しなくてはならず、手間となっていた。
更に、店員は、顧客から受取った画像データと個人情報が記入された注文伝票とを管理するため、新たに管理伝票に個人情報を転記しなければならず、転記ミスが生じる恐れがある。
【０００３】
例えば、特許文献１には、画像データが記憶されたメディアから、画像データを読み出す読取装置と、読取装置から読み出された画像データを基にして、画像のプリント注文に関する情報を作成し、注文確認に関する操作に応動して、プリント注文に関する情報の少なくとも一部を外部のプリンタに出力して印字させ、及び／又は前記情報の少なくとも一部を外部の画像形成装置に転送して画像を形成させるプリント注文受付器が開示されている。
【０００４】
【特許文献１】
特開２００１−０９４９１０号公報
【０００５】
【発明が解決しようとする課題】
特許文献１記載の発明は、顧客に若干の負担はかかるが、店員側にとっては、画像の選択ミスなどによる注文間違いなどを防止し、かつ顧客も画像を見られることなく注文できるのでメリットは大きい。
しかしながら、このシステムでは注文完了後、近くの店員にレシートを渡し、氏名、電話番号などを聞かれ、再度転記された受付表を受け取らなければならならず、転記ミスによるトラブルや３枚綴りの受付表を使用するため、コストもかかる。またプリント受け取り時には、店員に声かけ、転記さえた受付伝票控えを渡し、その受付伝票と仕上がり品を確認したりするなどして、非常に手間がかかり混雑しているときなどは店員にとっても顧客にとっても非常に非効率なシステムであった。
【０００６】
本発明の課題は、プリントの注文及び受付業務を簡易化することである。
【０００７】
【課題を解決するための手段】
請求項１に記載の発明は、顧客の画像データを記憶した記録媒体から画像データを読出す顧客画像データ読出手段と、該顧客画像データ読出手段から読出された画像データに基づきサービス提供用記録媒体を生産するサービス提供用記録媒体生産手段と、を有する顧客画像データ利用サービス提供用記録媒体生産システムにおいて、前記サービス提供用記録媒体生産手段は、前記顧客の個人情報を前記サービス提供用記録媒体に記録する顧客画像データ利用サービス提供用記録媒体生産システムであることを特徴としている。
【０００８】
請求項２に記載の発明は、前記顧客の個人情報には、顧客の氏名、住所、サービスの会員番号又は電話番号が含まれる請求項１の顧客画像データ利用サービス提供用記録媒体生産システムであることを特徴としている。
【０００９】
この請求項１又は２に記載の発明によれば、画像データと個人情報とが書込まれたサービス提供用記録媒体から個人情報と画像データが読込まれることによって、再度顧客が個人情報及び画像を入力する必要が無くなるため、省力化が可能となる。
従って、プリントの注文及び受付業務が簡易化される。
【００１０】
【発明の実施の形態】
以下、図を参照して本発明の実施の形態を詳細に説明する。
まず、構成を説明する。
図１は、本実施の形態における顧客画像データ利用サービス提供用記録媒体生産システム１を示す概略図である。
【００１１】
図１に示すように、本実施の形態に係る顧客画像データ利用サービス提供用記録媒体生産システム１は、あらかじめ管理サーバ２００内に記憶された個人情報を識別するための個人ＩＤ３０１が記憶された会員証４００と、顧客の画像データ３０２が記憶された記録媒体としてのメモリカード５００と、会員証４００からの個人ＩＤ３０１とメモリカード５００からの画像データ３０２とを用いてプリント受付が行われる受付端末１００と、受付端末１００が取得した個人ＩＤ３０１と画像データ３０２とが記録されたサービス提供用記録媒体としてのＣＤ−Ｒ３００を生産する管理サーバ２００とを備える。
【００１２】
会員証４００は、本顧客画像データ利用サービス提供用記録媒体生産システム１を利用する顧客があらかじめ写真店などで個人情報を登録したときに発行される会員証４００であり、顧客の個人情報を識別するための個人ＩＤ３０１が記憶されたものである。個人ＩＤ３０１としては数字やアルファベットなどを組み合わせた識別子を用いることができ、管理サーバ２００に記憶されている個人情報を識別することができる識別子であればこの限りではなく、顧客の氏名、住所、サービスの会員番号又は電話番号などでもよい。
【００１３】
個人情報は、顧客の氏名、住所、電話番号、性別、年齢、クレジットカード番号、支払方法などの顧客を識別するための情報である。
【００１４】
メモリカード５００は、記録媒体としてフラッシュメモリを採用しているカード型の記憶装置であり、受付端末１００で画像データ３０２を読み出すためのアダプタを含んでいてもよい。また、メモリカード５００には、少なくとも１つの撮影された画像データ３０２が記憶される。
【００１５】
画像データ３０２は、ＤＳＣで撮影された静止画に限らず動画でもよい。また、フィルムを用いて撮影された静止画及び動画を記録媒体に書込んだデータでもよく、プリント可能なデータであればこの限りではない。
【００１６】
受付端末１００は、例えば写真店に設置されることに限らず、利便性を考慮し、２４時間営業しているコンビニエンスストアや、複数人が集まるファミリーレストランやカラオケ店等に設置されてもよいが、これらの場所に限られるものではない。
【００１７】
サービス提供用記録媒体とは、例えば、ＣＤ−Ｒ（Ｃｏｍｐａｃｔ  Ｄｉｓｋ  Ｒｅｃｏｒｄａｂｌｅ）やＤＶＤ（Ｄｉｇｉｔａｌ  Ｖｅｒｓａｔｉｌｅ  Ｄｉｓｃ）などの記録メディアをさす。ここに、顧客の画像データを書き込み生産するが、書込む内容としては、画像の他に画像を表示するための機能、画像を自動的に表示切り替えるための機能、メールを送るための機能、プリント注文するための機能、保存、加工編集するような機能を有するアプリケーション、画像をＴＶやＤＶＤで閲覧できるように画像データを動画に編集した動画ファイル（ＭＰＥＧ２：Ｍｏｖｉｎｇ  Ｐｉｃｔｕｒｅ  Ｅｘｐｅｒｔｓ  Ｇｒｏｕｐ  ｐｈａｓｅ  ２）、スライドショーやＢＧＭ（ｂａｃｋｇｒｏｕｎｄ  ｍｕｓｉｃ）などで流す音楽ファイルなども含まれる。
【００１８】
本実施の形態では個人ＩＤ３０１と画像データ３０２とを記憶及び再生可能なサービス提供用記録媒体としてＣＤ−Ｒ３００を採用するが、これに限るものではない。例えば、ＭＯ（Ｍａｇｎｅｔｏ  Ｏｐｔｉｃａｌ  Ｄｉｓｋ）などの磁気ディスク、ＣＤ−ＲＷ、ＤＶＤ、ＤＶＤ−Ｒ、ＤＶＤ−ＲＡＭ１０３、ＤＶＤ±ＲＷなどの光ディスク、青紫レーザを用いる次世代高密度記録媒体、可搬式ＨＤ（ハードディスク）等でもよい。
【００１９】
図２は、図１に示す受付端末１００の制御構成のブロック図を示す。
図２に示すように、受付端末１００は、ＣＰＵ１０１（Ｃｅｎｔｒａｌ  Ｐｒｏｃｅｓｓｉｎｇ  Ｕｎｉｔ）、ＲＯＭ１０２（Ｒｅａｄ  Ｏｎｌｙ  Ｍｅｍｏｒｙ）、ＲＡＭ１０３（Ｒａｎｄｏｍ  Ａｃｃｅｓｓ  Ｍｅｍｏｒｙ）、操作表示部１０４、メモリカード５００から画像データ３０２を読出す顧客画像データ読出手段としての画像データ読出部１０５、会員証４００から個人ＩＤ３０１を取得するための個人ＩＤ取得部１０６、読出された画像データ３０２と取得された個人ＩＤ３０１とを管理サーバ２００へ出力する通信制御部１０７、ＣＤ−Ｒ３００に記憶された画像データ３０２と個人ＩＤ３０１とを読込む情報読込部１０８などにより構成され、各部は通信手段としてのバス１０９により接続される。
なお、後述する受付レシート発行手段を有することが好ましい。
【００２０】
ＣＰＵ１０１は、本実施の形態を実現するために、ＲＯＭ１０２内に記憶されているシステムプログラム、各処理プログラム、データを読み出して、ＲＡＭ１０３内に展開する。
そして、ＣＰＵ１０１は、個人ＩＤ取得部１０６に差し込まれた会員証４００から個人ＩＤ３０１と画像データ読出部１０５に差し込まれたメモリカード５００から画像データ３０２とを読出し、ＲＡＭ１０３内に一時的に格納し、個人ＩＤ３０１及び画像データ３０２を用いて展開されたプログラムに従って各処理を実行し、管理サーバ２００への画像データ３０２及び個人ＩＤ３０１の出力処理を行う。
また、展開されたプログラムに従って、各部の動作を集中制御する。システム全体のタイミング制御、ＲＡＭ１０３を使用した各処理のデータの記憶及び蓄積制御、操作表示部１０４の入出力制御、などの動作制御を行うものである。
【００２１】
ＲＯＭ１０２は、受付端末１００に対応するプログラムやデータなどがあらかじめ記憶されており、顧客画像データ利用サービス提供用記録媒体生産システム１に関するプログラム、当該システムに対応する各種処理プログラム、各種処理プログラムで処理するのに必要なデータを記憶している。
【００２２】
ＲＡＭ１０３は、ＣＰＵ１０１により制御実行される各種処理において、ＲＯＭ１０２や画像データ読出部１０５、個人ＩＤ取得部１０６、情報読込部１０８から読み出されたプログラム、入力、若しくは出力データ及びパラメータなどの一時的な格納領域となる。
【００２３】
操作表示部１０４は、ＬＣＤ（Ｌｉｑｕｉｄ  Ｃｒｙｓｔａｌ  Ｄｉｓｐｌａｙ）により構成され、ＣＰＵ１０１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０１に出力する。また、操作表示部１０４は、数字ボタン、スタートボタン等の各種操作ボタンを備え、ボタン操作による操作信号をＣＰＵ１０１に出力する。
【００２４】
画像データ読出部１０５は、顧客の画像データ３０２を記憶したメモリカード５００用のアダプタを備え、メモリカード５００が差し込み可能である。メモリカード５００内の画像データ３０２を受付端末１００内に読出すことができる。なお、用いるメモリカードの種類毎に対応したアダプタを複数設置することが好ましい。
【００２５】
個人ＩＤ取得部１０６は、会員証４００に記憶された個人ＩＤ３０１用のアダプタを備え、会員証４００が差し込み可能である。会員証４００に記憶された個人ＩＤ３０１を受付端末１００内に取得することができる。
【００２６】
通信制御部１０７は、モデム、ＬＡＮアダプタやルータやＴＡ（Ｔｅｒｍｉｎａｌ  Ａｄａｐｔｅｒ）等によって構成され、専用線、或いは電話回線、ＩＳＤＮ回線、ＡＤＳＬ回線、光回線等の通信回線を介してネットワークに接続される管理サーバ２００との通信制御を行う。
【００２７】
情報読込部１０８は、ＣＤ−Ｒ３００用のアダプタが備えられ、ＣＤ−Ｒ３００が差し込み可能であり、画像データ３０２及び個人ＩＤ３０１を受付端末１００内に読込むことができる。
なお、用いる記録媒体に応じたアダプタを設置することが好ましい。
【００２８】
図３は、図１に示す管理サーバ２００の制御構成のブロック図を示す。
図３に示すように、管理サーバ２００は、ＣＰＵ２０１（Ｃｅｎｔｒａｌ  Ｐｒｏｃｅｓｓｉｎｇ  Ｕｎｉｔ）、ＲＯＭ２０２、ＲＡＭ２０３、入力部２０４、表示部２０５、顧客の個人情報が記憶される記憶部２０６、受付端末１００から個人ＩＤ３０１と画像データ３０２とが入力される通信制御部２０７、個人ＩＤ３０１と画像データ３０２とに基づいてＣＤ−Ｒ３００を生産するサービス提供用記録媒体生産手段としての情報書込部２０８などにより構成され、各部は通信手段としてのバス２０９により接続される。
なお、後述する店頭控えデータシート発行手段を有することが好ましい。
【００２９】
ＣＰＵ２０１は、本実施の形態を実現するために、ＲＯＭ２０２や記憶部２０６内に記憶されているシステムプログラム、各処理プログラム、データを読み出して、ＲＡＭ２０３内に展開する。
そして、ＣＰＵ２０１は、受付端末１００から入力された個人ＩＤ３０１と画像データ３０２とをＲＡＭ２０３内に一時的に格納し、展開されたプログラムに従ってＣＤ−Ｒ３００へ記録処理を行う。
【００３０】
ＲＯＭ２０２は、管理サーバ２００に対応するプログラムやデータなどがあらかじめ記憶されており、顧客画像データ利用サービス提供用記録媒体生産システムに関するプログラム、当該システムに対応する各種処理プログラム、各種処理プログラムで処理するのに必要なデータを記憶している。
【００３１】
ＲＡＭ２０３は、ＣＰＵ２０１により制御実行される各種処理において、ＲＯＭ２０２や記憶部２０６や通信制御部２０７から読み出されたプログラム、入力、若しくは出力データ及びパラメータなどの一時的な格納領域となる。
【００３２】
入力部２０４は、カーソルキー、数字入力キー及び各種機能キー等を備えたキーボードを含み、操作者によりキーボードで押下された押下信号をＣＰＵ２０１に出力する。また、入力部はポインティングデバイスとしてのマウス等を含み、操作者により入力されたポインティングデバイスの位置信号をＣＰＵ２０１に出力する構成でもよい。
【００３３】
表示部２０５は、ＬＣＤ（Ｌｉｑｕｉｄ  Ｃｒｙｓｔａｌ  Ｄｉｓｐｌａｙ）などの液晶ディスプレイを備えるが、ＣＲＴ（Ｃａｔｈｏｄｅ  Ｒａｙ  Ｔｕｂｅ）ディスプレイや、ＰＤＰ（Ｐｌａｓｍａ  Ｄｉｓｐｌａｙ  Ｐａｎｅｌ）ディスプレイ又はＥＬ（Ｅｌｅｃｔｒｏ  Ｌｕｍｉｎｅｓｃｅｎｃｅ）ディスプレイ等でもよく、ＣＰＵ１０１から入力される表示指示に従って各種表示データの画面表示を行うことができればこの限りではなくてもよい。
【００３４】
記憶部２０６は、本プリント受付注文システム１を利用する顧客の個人情報が個人ＩＤ３０１を用いて識別できるように記憶されている。
なお、記憶部２０６は、書き込み可能な不揮発性の記録媒体であればよく、ＨＤＤ（Ｈａｒｄ  Ｄｉｓｋ  Ｄｒｉｖｅ）、ＭＲＡＭ（Ｍａｇｎｅｔｉｃ  Ｒａｎｄｏｍ  Ａｃｃｅｓｓ  Ｍｅｍｏｒｙ）又はフラッシュメモリなどで構成されていても良く、この限りではない。また、このＩ億部２０６は、制御基板等に固定的に設けられるもの、若しくは着脱自在に装着するものであってもよく、インターフェイスを介して書き換え可能なものでも良い。
【００３５】
通信制御部２０７は、モデム、ＬＡＮアダプタやルータやＴＡ（Ｔｅｒｍｉｎａｌ  Ａｄａｐｔｅｒ）等によって構成され、専用線、或いは電話回線、ＩＳＤＮ回線、ＡＤＳＬ回線、光回線等の通信回線を介してネットワークに接続される受付端末１００との通信制御を行う。
【００３６】
情報書込部２０８は、ＣＤ−Ｒ３００用のアダプタが備えられ、ＣＤ−Ｒ３００が挿入可能であり、受付端末１００から入力された個人ＩＤ３０１及び画像データ３０２に基づいてＣＤ−Ｒ３００を生産することができる。
なお、用いるサービス提供用記録媒体に応じたアダプタを設置することが好ましい。
【００３７】
次に、本実施の形態の動作を説明する。
図４は、本実施の形態における顧客画像データ利用サービス提供用記録媒体生産システムのプリント受付時のＣＤ−Ｒ３００書込み処理動作フローの一例を示す。
【００３８】
プリント受付時は、顧客は、あらかじめ個人情報を識別するための個人ＩＤ３０１が記憶された会員証４００と、顧客の画像データ３０２が記憶されたメモリカード５００とを用いる。
【００３９】
まず、顧客が受付端末１００の個人ＩＤ取得部１０６に会員証４００を差し込むと、受付端末１００の個人ＩＤ取得部１０６から会員証４００内の個人ＩＤ３０１が取得され（ステップＳ１）、一時的にＲＡＭ１０３内に個人ＩＤ３０１が記憶されると共に管理サーバ２００へ個人ＩＤ３０１を基に個人情報の問い合わせが行われる。管理サーバ２００は、入力された個人ＩＤ３０１に基づいて記憶部２０６内に記憶された個人情報を識別し照合を行う（ステップＳ２）。個人ＩＤ３０１に基づいて照合された個人情報は受付端末１００に出力され、操作表示部１０４に個人情報を表示する。このとき、個人情報が照合されなかった場合には、エラーメッセージを表示することが好ましい。
顧客が表示された個人情報を確認すると、受付端末１００はメモリカード挿入指示画面に切り換えられる（ステップＳ３）。
【００４０】
次に、顧客が受付端末１００の画像データ読出部１０５にメモリカード５００を差し込むと、受付端末１００の画像データ読出部１０５からメモリカード５００内の画像データ３０２が読出され（ステップＳ４）、受付端末１００の操作表示部１０４に画像データ３０２が表示される（ステップＳ５）。
【００４１】
そして、顧客は操作表示部１０４に表示された画像データ３０２からプリントが行われる画像データ３０２を選択し、プリント注文操作を行う。プリント注文操作が完了すると、プリント注文の確認内容が操作表示部１０４に表示される（ステップＳ６）。
【００４２】
顧客は、操作表示部１０４に表示された確認内容を確認し、操作表示部１０４から決定指示操作を行う。受付端末１００は、操作表示部１０４からの決定指示信号を得ると、メモリカード５００からプリントに必要な画像データ３０２がＲＡＭ１０３内に一時格納される（ステップＳ７）。画像データ３０２が格納されると、メモリカード５００と会員証４００との返却画面が表示される（ステップＳ８）。顧客は、画像データ読出部１０５からメモリカード５００、個人ＩＤ取得部１０６から会員証４００を取り出す。また、プリント注文内容が記載された受付レシートが発行され（ステップＳ９）顧客は受付レシートを受取る。
【００４３】
一連のプリント受付時の動作終了後、管理サーバ２００によって、受付端末１００内のＲＡＭ１０３に記憶された個人ＩＤ３０１と、画像データ３０２と、プリント注文情報とが確認され、受付端末１００から画像データ３０２と個人ＩＤ３０１とプリント注文情報などのデータが通信制御部２０７を介して取得される（ステップＳ１０）。
【００４４】
受付端末１００から取得された個人ＩＤ３０１と画像データ３０２とは、一時管理サーバ２００のＲＡＭ２０３内に記憶され、ＣＤ−Ｒ３００を生産するためのデータ処理が行われる（ステップＳ１１）。そして処理済の個人ＩＤ３０１と画像データ３０２とに基づいてＣＤ−Ｒ３００が生産される（ステップＳ１２）。個人ＩＤ３０１と画像データ３０２とが記録されたＣＤ−Ｒ３００が生産され（ステップＳ１３）、更に店頭控えデータシートが発行される（ステップＳ１４）。また、プリント注文情報に基づいて、画像データ３０２がプリントされ、生産されたＣＤ−Ｒ３００と共に顧客が受取るまで管理されることが好ましい。
後日、顧客がプリントを受取る際、生産されたＣＤ−Ｒ３００が受取られる。
【００４５】
図５は、顧客画像データ利用サービス提供用記録媒体生産システム１の再プリント受付時のＣＤ−Ｒ３００を用いた処理動作フローの一例を示す。
再プリント受付時には、プリント時に生産されたＣＤ−Ｒ３００を用いてプリント注文が行われる。
【００４６】
まず、顧客は、受付端末１００の操作表示部１０４から再プリント注文画面を選択する。受付端末１００の操作表示部１０４にＣＤ−Ｒ３００挿入指示画面が表示される（ステップＳ２１）。顧客がＣＤ−Ｒ３００挿入指示画面を確認した後、情報読込部１０８にプリント時に生産されたＣＤ−Ｒ３００を挿入すると、受付端末１００の情報読込部１０８から挿入されたＣＤ−Ｒ３００内の個人ＩＤ３０１が読出され（ステップＳ２２）、一時的にＲＡＭ１０３内に個人ＩＤ３０１が記憶されると共に管理サーバ２００へ個人ＩＤ３０１を基に個人情報の問い合わせが行われる。個人ＩＤ３０１に基づいて記憶部２０６内に記憶された個人情報が識別され照合が行われる（ステップＳ２３）。
個人ＩＤ３０１に基づいて照合された個人情報は受付端末１００に出力され、操作表示部１０４に個人情報を表示する。このとき、個人情報が照合されなかった場合には、エラーメッセージを表示することが好ましい。
【００４７】
次に、顧客は、表示された個人情報を確認すると、受付端末１００の情報読込部１０８からＣＤ−Ｒ３００内の画像データ３０２が読込まれ（ステップＳ２４）、受付端末１００の操作表示部１０４に画像データ３０２が表示される（ステップＳ２５）。
【００４８】
そして、顧客は、操作表示部１０４に表示された画像データ３０２から再プリントが行われる画像データ３０２を選択し、再プリント注文操作が行われる。再プリント注文操作が完了すると、再プリント注文の確認内容が操作表示部１０４に表示される（ステップＳ２６）。
【００４９】
顧客は、操作表示部１０４に表示された確認内容を確認し、操作表示部１０４から決定指示操作を行う。受付端末１００は、操作表示部１０４からの決定指示信号を得ると、ＣＤ−Ｒ３００からプリントに必要な画像データ３０２がＲＡＭ１０３内に一時格納される（ステップＳ２７）。画像データ３０２が格納されるとＣＤ−Ｒ３００の返却画面が表示される（ステップＳ２８）。顧客は情報書出し部１０８からＣＤ−Ｒ３００を取り出す。また、プリント注文内容が記載された受付レシートが発行され（ステップＳ２９）顧客は受付レシートを受取る。
【００５０】
一連の再プリント注文動作の終了後、管理サーバ２００によって受付端末１００内のＲＡＭ１０３に記憶された個人ＩＤ３０１と、画像データ３０２と、再プリント注文情報とが確認され、受付端末１００から画像データ３０２と個人ＩＤ３０１とプリント注文情報などのデータが通信制御部２０７を介して取得される（ステップＳ３０）。
【００５１】
受付端末１００から取得された個人ＩＤ３０１と画像データ３０２と再プリント注文情報とに基づいて再プリントを行うためのデータ処理が行われ（ステップＳ３１）、再プリントが開始される（ステップＳ３２）。再プリントが終了後（ステップＳ３３）、店頭控えデータシートが発行される（ステップＳ３４）。再プリントと店頭控えデータシートとは、顧客が受取るまで管理されることが好ましい。後日、顧客は再プリントを受取る。
【００５２】
なお、受付レシートの代わりに、個人情報に記憶された指定の連絡先にプリント注文情報が送信されてもよい。例えば、連絡先として携帯電話のメールアドレスにプリント注文情報が送信されてもよい。
更に、ネットワークを介して携帯電話、ＰＤＡ（Ｐｅｒｓｏｎａｌ  Ｄｉｇｉｔａｌ  Ａｓｓｉｓｔａｎｃｅ）などの携帯情報端末やＰＣ（Ｐｅｒｓｏｎａｌ  Ｃｏｍｐｕｔｅｒ）などから注文情報が確認することができる機能を有することが好ましい。
【００５３】
なお、本実施の形態では、受付端末１００と管理サーバ２００とは異なった場所に設置された装置として述べているが、同一場所に設置されてもよく、また受付端末と管理サーバの機能を有した一つの装置であってもよい。
【００５４】
また、再プリント受付時において、受付端末１００で注文操作を行う場合のみならず、本顧客画像データ利用サービス提供用記録媒体生産システムに関するプログラムが記憶されたＣＤ−Ｒ３００を用いて、ＣＤ−Ｒ３００の動作可能な装置（例えば、ＰＣ（Ｐｅｒｓｏｎａｌ  Ｃｏｍｐｕｔｅｒ）など）を用いてネットワークを介して管理サーバへ接続し、注文操作を行うことも可能である。
【００５５】
【発明の効果】
この請求項１又は２に記載の発明によれば、画像データと個人情報とが書込まれたサービス提供用記録媒体から個人情報と画像データが読込まれることによって、再度顧客が個人情報及び画像を入力する必要が無くなるため、省力化が可能となるため、プリントの注文及び受付業務が簡易化することができる。
【図面の簡単な説明】
【図１】本発明を適用した実施の形態の顧客画像データ利用サービス提供用記録媒体生産システムを示す概略図である。
【図２】図１に示す受付端末１００の制御構成のブロック図である。
【図３】図１に示す管理サーバ２００の制御構成のブロック図である。
【図４】顧客画像データ利用サービス提供用記録媒体生産システムのプリント受付時のＣＤ−Ｒ３００書込み処理動作フローの一例である。
【図５】顧客画像データ利用サービス提供用記録媒体生産システムの再プリント受付時のＣＤ−Ｒ３００を用いた処理動作フローの一例である。
【符号の説明】
１００    受付端末
１０１、２０１    ＣＰＵ
１０２、２０２    ＲＯＭ
１０３、２０３    ＲＡＭ
１０４    操作表示部
１０５    画像データ読出部
１０６    個人ＩＤ取得部
１０７、２０７    通信制御部
１０８    情報読込部
２００    管理サーバ
２０４    入力部
２０５    表示部
２０６    記憶部
２０８    情報読込部
３００    ＣＤ−Ｒ
３０１    個人ＩＤ
３０２    画像データ
４００    会員証
５００    メモリカード
【図１】
2005011231.tif 000003
【図２】
2005011231.tif 000004
【図３】
2005011231.tif 000005
【図４】
2005011231.tif 000006
【図５】
2005011231.tif 000007